(57)【要約】【課題】  他の空間伝送システムとの共存を可能としながら高品質の音声を提供し得る音声出力システム及び方法を提案する。【解決手段】  映像表示面と対向する側において、映像表示面に表示される映像に付随する圧縮符号化された音声データを取得して、当該音声データを空間伝送送信し、少なくとも映像表示面側において、空間伝送送信される音声データを受信し伸張して、得られた伸張された音声データに基づく音声を出力するようにした。【選択図】        図１
2006126465.tif 000002
【特許請求の範囲】
【請求項１】
映像表示面と対向する側に配置され、上記映像表示面に表示される映像に付随する圧縮符号化された音声データを取得し、当該音声データを空間伝送送信する送信手段と、
少なくとも上記映像表示面側に配置され、上記送信手段から空間伝送送信される上記音声データを受信し伸張して、得られた伸張された上記音声データに基づく音声を出力する音声出力手段と
を具えることを特徴とする音声出力システム。
【請求項２】
上記音声出力手段は、１又は複数のスピーカからなり、
上記スピーカは、
上記送信手段から空間伝送送信される上記音声データを受信する受信手段と、
上記受信手段により受信された上記音声データを伸張する伸張手段と、
上記伸張された上記音声データをディジタル／アナログ変換するディジタル／アナログ変換手段と、
上記音声データをディジタル／アナログ変換することにより得られた音声信号に基づく音声を出力するスピーカユニットと
をそれぞれ具える
ことを特徴とする請求項１に記載の音声出力システム。
【請求項３】
上記音声出力手段は、
上記送信手段から空間伝送送信される上記音声データを受信し伸張してディジタル／アナログ変換する受信手段と、
上記受信手段とケーブルを介して接続され、当該ケーブルを介して上記受信手段から送信されるディジタル／アナログ変換された上記音声データに基づく音声を出力する１又は複数のスピーカと
を具えることを特徴とする請求項１に記載の音声出力システム。
【請求項４】
上記受信手段は、スピーカである
ことを特徴とする請求項３に記載の音声出力システム。
【請求項５】
上記送信手段は、
取得した上記圧縮符号化された上記音声データを伸張し、当該伸張した上記音声データに対して所定の信号処理を施した後に、当該音声データを上記圧縮符号化し、得られた当該圧縮符号化された上記音声データを上記空間伝送送信する
ことを特徴とする請求項１に記載の音声出力システム。
【請求項６】
映像表示面と対向する側において、上記映像表示面に表示される映像に付随する圧縮符号化された音声データを取得し、当該音声データを空間伝送送信する第１のステップと、
少なくとも上記映像表示面側において、上記空間伝送送信される上記音声データを受信し伸張して、得られた伸張された上記音声データに基づく音声を出力する第２のステップと
を具えることを特徴とする音声出力方法。
【請求項７】
上記第１のステップでは、
上記圧縮符号化された音声データを上記映像表示面側に配置された１又は複数のスピーカに空間伝送送信し、
上記第２のステップでは、
上記空間伝送送信される上記音声データを各上記スピーカにおいて受信し伸張して、得られた伸張された上記音声データに基づく音声を当該スピーカから出力する
ことを特徴とする請求項６に記載の音声出力方法。
【請求項８】
上記第２のステップでは、
上記空間伝送送信される上記音声データを、上記映像表示面側に配置された受信手段において受信し伸張してディジタル／アナログ変換し、
得られた上記ディジタル／アナログ変換された上記音声データを、上記受信手段とケーブルを介して接続された１又は複数のスピーカに当該ケーブルを介して上記受信手段から送信する
ことを特徴とする請求項６に記載の音声出力方法。
【請求項９】
上記受信手段は、スピーカである
ことを特徴とする請求項８に記載の音声出力方法。
【請求項１０】
上記第１のステップでは、
取得した上記圧縮符号化された上記音声データを伸張し、当該伸張した上記音声データに対して所定の信号処理を施した後に、当該音声データを上記圧縮符号化し、得られた当該圧縮符号化された上記音声データを上記空間伝送送信する
ことを特徴とする請求項６に記載の音声出力方法。
【発明の詳細な説明】
【技術分野】
【０００１】
本発明は、音声出力システム及び方法に関し、例えばホームシアターシステムに適用して好適なものである。
【背景技術】
【０００２】
従来、例えばホームシアターシステムなどのＡＶ（Audio Video）システムでは、テレビジョン放送用チューナやＤＶＤ（Digital Versatile Disc）再生装置等の音声データを取得して出力する機器にスピーカを接続することが必要となる。
【０００３】
この場合において、例えばＤＶＤ規格ではオーディオチャンネルとして5.1チャンネルが規定されており、スピーカとして少なくとも３個のフロントスピーカ、２個のリアスピーカ及び１個のサブウーハの合計６つのスピーカを用いるため、最低でも６本ものスピーカケーブルを配線する必要がある。そしてこのような配線作業は煩雑であり、また再生装置やアンプから多くのケーブルが引き回されるために設置後の美観を損ねる要因ともなっている。
【０００４】
かかる問題を解決するための１つの方法として、従来、例えば図１１に示すように、映像機器としてプロジェクタ２を用いたホームシアターシステム１において、ＤＶＤ再生装置３をスクリーン４側（以下、これをフロント側と呼ぶ）に設置し、フロント側に設置される３個のフロントスピーカ５Ａ〜５Ｃ及びサブウーハ６と、スクリーン４の映像表示面と対向する側（以下、これをリア側と呼ぶ）に配設されるプロジェクタ２とに対しては、ＤＶＤ再生装置３からスピーカケーブル７Ａ〜７Ｄやビデオケーブル８を介して音声信号や映像信号を送信する一方、リア側に配置される２個のリアスピーカ９Ａ、９Ｂに対しては、赤外線や電波を利用して音声信号を空間伝送する方法が提案され、実用化されている。
【０００５】
しかしながらこの方法によると、ＤＶＤ再生装置３をフロント側に設置することが前提とされるため、ＤＶＤ再生装置３及びプロジェクタ２間を接続するビデオケーブル８をフロント側からリア側に引き回す必要がある。この結果、設置後の美観を損ねるだけでなく、フロント側からリア側にまで引き回されたビデオケーブル８を通じて伝送される映像信号に劣化が生じ、表示映像の品質劣化が生じる問題があった。
【０００６】
そこで、近年、ＤＶＤ再生装置をリア側に配置して、ＤＶＤ再生装置及びプロジェクタ間を映像音声ケーブルで接続する一方、ＤＶＤ再生装置から出力されるＤＶＤから再生された映像音声データをプロジェクタにおいてデコードし、得られた映像データに基づく映像をプロジェクタによりスクリーンに投影する一方、このとき得られた各チャンネルの音声データをプロジェクタから対応するスピーカにそれぞれ赤外線を用いて空間伝送することが提案されている（例えば特許文献１参照）。
【０００７】
そしてこの方法によれば、ＤＶＤ再生装置から各スピーカへのスピーカケーブルの配線を不要とすることができ、設置後の美観を損ねることも、表示映像の品質劣化のおそれも有効に防止することができる。
【特許文献１】特開２００３−１８８８１９公報
【発明の開示】
【発明が解決しようとする課題】
【０００８】
しかしながらこの方法によると、既存の赤外空間伝送方式が２チャンネル分の音声データを重畳して伝送するものであることから、5.1チャンネル（すなわち６チャンネル）分の音声データを２チャンネル分ずつに分けて空間伝送送信しなければならず、同一の空間内に異なる音声信号を重畳した周波数の異なるキャリアが複数存在することとなって、これらキャリアの干渉により音声信号の正常な空間伝送が困難な問題があった。
【０００９】
このような干渉を避ける最も簡単な方法として、２チャンネルよりも多いチャンネル数の音声データを同じキャリアに重畳して空間伝送送信する方法が考えられる。しかしながらこの方法によると、２チャンネルのみ空間伝送送信すれば良い従来の方法に比べてデータ伝送のために広い帯域幅が必要となり、この結果として赤外線リモートコントロールシステム等の他の赤外空間伝送システムにおいて利用している帯域幅と重なって相互に悪影響を及ぼす問題がある。
【００１０】
本発明は以上の点を考慮してなされたもので、他の空間伝送システムとの共存を可能としながら高品質の音声を提供し得る音声出力システム及び方法を提案しようとするものである。
【課題を解決するための手段】
【００１１】
かかる課題を解決するため本発明においては、音声出力システムにおいて、映像表示面と対向する側に配置され、映像表示面に表示される映像に付随する圧縮符号化された音声データを取得し、当該音声データを空間伝送送信する送信手段と、少なくとも映像表示面側に配置され、送信手段から空間伝送送信される音声データを受信し伸張して、得られた伸張された音声データに基づく音声を出力する音声出力手段とを設けるようにした。
【００１２】
この結果この音声出力システムでは、映像表示面と対向する側及び当該映像表示面側間に音声データを送信するためのスピーカケーブルの配線を一切必要とせず、かかるスピーカケーブルの配線作業の煩わしさを解消すると共に設置後の美観を損ねるのを未然に防止でき、さらに音声データを圧縮符号化して空間伝送送信するため、当該音声データの空間伝送送信に必要とする帯域を低減させて他の空間伝送システムとの共存を可能とすることができる。
【００１３】
また本発明においては、音声出力方法において、映像表示面と対向する側において、映像表示面に表示される映像に付随する圧縮符号化された音声データを取得し、当該音声データを空間伝送送信する第１のステップと、少なくとも映像表示面側において、空間伝送送信される音声データを受信し伸張して、得られた伸張された音声データに基づく音声を出力する第２のステップとを設けるようにした。
【００１４】
この結果この音声出力方法によれば、映像表示面と対向する側及び当該映像表示面側間に音声データを送信するためのスピーカケーブルの配線を一切必要とせず、かかるスピーカケーブルの配線作業の煩わしさを解消すると共に設置後の美観を損ねるのを未然に防止でき、さらに音声データを圧縮符号化して空間伝送送信するため、当該音声データの空間伝送送信に必要とする帯域を低減させて他の空間伝送システムとの共存を可能とすることができる。
【発明の効果】
【００１５】
本発明によれば、音声出力システム及び方法において、映像表示面と対向する側において、映像表示面に表示される映像に付随する圧縮符号化された音声データを取得して、当該音声データを空間伝送送信し、少なくとも映像表示面側において、空間伝送送信される音声データを受信し伸張して、得られた伸張された音声データに基づく音声を出力するようにしたことにより、映像表示面と対向する側及び当該映像表示面側間に音声データを送信するためのスピーカケーブルの配線を一切必要とせず、かかるスピーカケーブルの配線作業の煩わしさを解消すると共に設置後の美観を損ねるのを未然に防止でき、さらに音声データを圧縮符号化して空間伝送送信するため、当該音声データの空間伝送送信に必要とする帯域を低減させて他の空間伝送システムとの共存を可能としながら高品質の音声を提供し得る音声出力システム及び方法を実現できる。
【発明を実施するための最良の形態】
【００１６】
以下図面について、本発明の一実施の形態を詳述する。
【００１７】
（１）第１の実施の形態
図１１との対応部分に同一符号を付した図１において、１０は全体として本発明を適用した第１の実施の形態によるホームシアターシステムを示し、スクリーン４側に設置された３個のフロントスピーカ１１Ａ〜１１Ｃ及びサブウーハ１２と、リア側に設置された２個のリアスピーカ１３Ａ、１３Ｂ及びプロジェクタ２と、プロジェクタ２の近傍に配置され、当該プロジェクタ２とビデオケーブル１４を介して接続されたＤＶＤ再生装置１５とから構成されている。
【００１８】
ＤＶＤ再生装置１５においては、図２に示すように、ＤＶＤ復調回路２０、ＭＰＥＧ（Moving Picture coding Experts Group）デコーダ回路２１、ビデオドライバ回路２２及び空間伝送送信回路２３を有し、図示しない光ピックアップによりＤＶＤ２４から読み出した映像音声データＤ１をＤＶＤ復調回路２０に入力する。
【００１９】
ＤＶＤ復調回路２０は、供給される映像音声データＤ１に対して誤り訂正処理を含む所定の復調処理を施すことによりこの映像音声データＤ１から映像データＤ２Ｖ及び音声データＤ２Ａをそれぞれ抽出し、得られた映像データＤ２ＶをＭＰＥＧデコーダ回路２１に送出する一方、音声データＤ２Ａを空間伝送送信回路２３の変調回路２５に送出する。
【００２０】
このとき映像データＤ２Ｖは、ＤＶＤ規格で標準化されているＭＰＥＧ方式で圧縮符号化されている。かくしてＭＰＥＧデコーダ回路２１は、供給される映像データＤ２Ｖに対してＭＰＥＧ方式のデコード処理を施し、得られたベースバンドの映像データＤ３Ｖをビデオドライバ回路２２に送出する。
【００２１】
ビデオドライバ回路２２は、供給される映像データに対し、ビデオケーブル１４の抵抗負荷に起因する反射等を防止するための所定のマッチング処理を施し、得られた映像データＤ４Ｖをビデオケーブル１４を介してプロジェクタ２に送出する。そしてプロジェクタ２は、供給される映像データＤ４Ｖに基づく映像をスクリーン４に向けて投影する。これによりＤＶＤ２４から再生された映像がスクリーン４上に表示される。
【００２２】
一方、ＤＶＤ復調回路２０から空間伝送送信回路２３の変調回路２５に与えられる音声データＤ２Ａは、ＤＶＤ規格で標準化されているドルビーＡＣ３方式やＤＴＳ（Digital Theater Systems）方式で圧縮符号化されている。
【００２３】
そして変調回路２５は、この圧縮符号化されている音声データＤ２Ａに対して所定の赤外空間伝送方式に応じた所定のディジタル変調処理を施し、得られた変調音声信号Ｓ１を赤外ＬＥＤ（Light Emitting Diode）２６に印加することにより、この変調音声信号Ｓ１に基づいて赤外ＬＥＤ２６を点滅駆動する。これによりこの変調音声信号Ｓ１に基づく赤外線伝送信号Ｓ２が各フロントスピーカ１１Ａ〜１１Ｃ、サブウーハ１２及び各リアスピーカ１３Ａ、１３Ｂに向けて発射される。
【００２４】
なおこの実施の形態の場合、上述のように音声データを赤外空間伝送する際の赤外空間伝送方式として、ＩＥＣ（International Electrotechnical Commission）−６１６０３−８−１に規定されたプロトコルを利用している。このＩＥＣ−６１６０３−８−１は、従来の２チャンネル音声データを赤外線で空間伝送するための規格であるが、伝送帯域幅が2.5〔MHz〕、フルバンドモード時の伝送レートが3.072〔Mb/sec〕であることから、圧縮符号化された音声データを伝送するには十分な帯域と伝送レートを確保でき、しかもサブキャリア周波数が既存の赤外線リモコン等の赤外線システムにおいて用いられているサブキャリア周波数から離れているため、これら他の赤外線システムにおける伝送信号との干渉を起こさせることなく、圧縮音声データを伝送できる。
【００２５】
一方、各フロントスピーカ１１Ａ〜１１Ｃ、サブウーハ１２及び各リアスピーカ１３Ａ、１３Ｂにおいては、それぞれ図３に示すような構成を有し、ＤＶＤ再生装置１５から送信される赤外線伝送信号Ｓ２を空間伝送受信回路３０のフォトダイオード３１において受信する。そしてフォトダイオード３１は、受信した赤外線伝送信号Ｓ２を光電変換し、得られた変調音声信号Ｓ３を復調回路３２に送出する。
【００２６】
復調回路３２は、供給される変調音声信号Ｓ３に対してエラー訂正処理を含む所定の復調処理を施し、得られた音声データＤ１０を伸張回路３３に送出する。また伸張回路３３は、供給される音声データＤ１０に対してドルビーＡＣ３方式やＤＴＳ方式などに応じた所定の伸張処理を施し、得られた各チャンネルのベースバンドの音声データＤ４のうち、自己に対応付けられたチャンネルの音声データＤ４をディジタル／アナログ変換回路３４に送出する。
【００２７】
ディジタル／アナログ変換回路３４は、供給される音声データＤ４をディジタル／アナログ変換し、得られたアナログ波形の音声信号Ｓ４を増幅アンプ３５を介してスピーカユニット３６に送出する。これによりこの音声信号Ｓ４に基づく音声がスピーカユニット３６から出力される。
【００２８】
このようにしてこのホームシアターシステム１０では、ＤＶＤ２４から再生した映像音声データＤ１に基づく映像をスクリーン４上に投影する一方、これと同期して、当該映像音声データＤ１に基づく音声を各フロントスピーカ１１Ａ〜１１Ｃ、サブウーハ１２及び各リアスピーカ１３Ａ、１３Ｂからそれぞれ出力することができるようになされている。
【００２９】
以上の構成において、このホームシアターシステム１０では、リア側のプロジェクタ２の近傍に設置されたＤＶＤ再生装置１５においてＤＶＤ２４から再生された音声データＤ２Ａを圧縮符号化されたままの状態でＤＶＤ再生装置１５から各フロントスピーカ１１Ａ〜１１Ｃ、サブウーハ１２及び各リアスピーカ１３Ａ、１３Ｂに空間伝送し、かかる圧縮符号化された音声データＤ２Ａを各フロントスピーカ１１Ａ〜１１Ｃ、サブウーハ１２及び各リアスピーカ１３Ａ、１３Ｂにおいてそれぞれ伸張処理して、得られた音声データＤ２Ａに基づく音声をそのフロントスピーカ１１Ａ〜１１Ｃ、サブウーハ１２及び各リアスピーカ１３Ａ、１３Ｂからそれぞれ出力する。
【００３０】
従って、このホームシアターシステム１０では、ＤＶＤ再生装置１５から各フロントスピーカ〜１１Ｃ、サブウーハ１２及び各リアスピーカ１３Ａ、１３Ｂへのスピーカケーブルの配線を一切必要とせず、かかるスピーカケーブルの配線作業の煩わしさを解消すると共に設置後の美観を損ねることがない。
【００３１】
またこのホームシアターシステム１０では、各フロントスピーカ１１Ａ〜１１Ｃ、サブウーハ１２及び各リアスピーカ１３Ａ、１３Ｂに対して音声データとして圧縮符号化されたままの音声データＤ２Ａを空間伝送するようにしているため、音声データＤ２Ａを伸張してから送信する場合に比べて、伝送帯域として狭い帯域しか必要とせず、既存の他の赤外線システムとの共存も可能とすることができる。
【００３２】
またこのホームシアターシステム１０では、各フロントスピーカ１１Ａ〜１１Ｃ、サブウーハ１２及び各リアスピーカ１３Ａ、１３Ｂに対して圧縮符号化された音声データＤ２Ａを空間伝送できるエリア内であればＤＶＤ再生装置１５の設置場所はどこでも良く、視聴者の手元に置くことも可能となる。つまりＤＶＤ再生装置１５をポータブルサイズにまで小型化し、又はその機能をノート型のパーソナルコンピュータに内蔵することによって、普段は邪魔にならないように片づけておき、使用時にのみプロジェクタ２とビデオケーブル１４を介して接続することによって本格的なホームシアターシステム１０を構築することができる。
【００３３】
以上の構成によれば、ＤＶＤ再生装置１５をリア側のプロジェクタ２の近傍に設置すると共に、当該ＤＶＤ再生装置１５によりＤＶＤ２４から再生された音声データＤ２Ａを圧縮符号化されたままの状態でＤＶＤ再生装置１５から各フロントスピーカ１１Ａ〜１１Ｃ、サブウーハ１２及び各リアスピーカ１３Ａ、１３Ｂにそれぞれ空間伝送し、かかる圧縮符号化された音声データＤ２Ａを各フロントスピーカ１１Ａ〜１１Ｃ、サブウーハ１２及び各リアスピーカ１３Ａ、１３Ｂにおいて伸張処理するようにしたことにより、スピーカケーブルの配線を一切必要とせず、配線作業の煩わしさを解消すると共に設置後の美観を損ねることがない上に、音声データＤ２Ａの伝送帯域として狭い帯域しか必要とせず、他の赤外線システムとの共存も可能とすることができ、かくして他の空間伝送システムとの共存を可能としながら高品質の音声を提供し得るホームシアターシステムを実現できる。
【００３４】
（２）第２の実施の形態
図１との対応部分に同一符号を付して示す図４は、第２の実施の形態によるホームシアターシステム４０を示し、各フロントスピーカ４１Ａ〜４１Ｃ及びサブウーハ４２がそれぞれスピーカケーブル４３Ａ〜４３Ｄを介してフロント側に設置された第１のアンプ内蔵空間伝送受信ユニット４４Ａと接続されると共に、各リアスピーカ４５Ａ、４５Ｂがそれぞれスピーカケーブル４６Ａ、４６Ｂを介してリア側に設置された第２のアンプ内蔵空間伝送受信ユニット４４Ｂに接続されている点と、これら第１及び第２のアンプ内蔵空間伝送受信ユニット４４Ａ、４４Ｂに向けてＤＶＤ再生装置１５から音声データを空間伝送送信するようになされている点とを除いて第１の実施の形態によるホームシアターシステム１０と同様に構成されている。
【００３５】
実際上、このホームシアターシステム４０の場合、ＤＶＤ再生装置１５は、図２について上述したように、装填されたＤＶＤ２４（図２）から再生した映像音声データＤ１（図２）から抽出した映像データＤ２Ｖ（図２）及び音声データＤ２Ａ（図２）のうち、映像データＤ２Ｖを伸張処理してビデオケーブル１４を介してプロジェクタ２に送信する。またＤＶＤ再生装置１５は、音声データＤ２Ａを圧縮符号化されたままの状態で赤外線を利用して第１及び第２のアンプ内蔵空間伝送受信ユニット４４Ａ、４４Ｂに空間伝送送信する。
【００３６】
第１及び第２のアンプ内蔵空間伝送受信ユニット４４Ａ、４４Ｂにおいては、図５に示すように構成されており、ＤＶＤ再生装置１５から送信される赤外線伝送信号Ｓ２（図２）を空間伝送受信回路５０のフォトダイオード５１において受信する。そしてフォトダイオード５１は、受信した赤外線伝送信号Ｓ２を光電変換し、得られた変調音声信号Ｓ１０を復調回路５２に送出する。
【００３７】
復調回路５２は、供給される変調音声信号Ｓ１０に対してエラー訂正処理を含む所定の復調処理を施し、得られた音声データＤ１０を伸張回路５３に送出する。また伸張回路５３は、供給される音声データＤ１０に対して所定の伸張処理を施し、かくして得られたベースバンドの各チャンネルの音声データＤ１１Ａ〜Ｄ１１Ｆのうち、第１のアンプ内蔵空間伝送受信ユニット４４Ａでは、各フロントスピーカ４１Ａ〜４１Ｃ用及びサブウーハ４２用の各チャンネルの音声データ１１Ａ〜１１Ｄをそれぞれ対応する第１〜第４のディジタル／アナログ変換回路５４Ａ〜５４Ｄに送出し、第２のアンプ内蔵空間伝送受信ユニット４４Ｂでは、各リアスピーカ４５Ａ、４５Ｂ用のチャンネルの音声データＤ１１Ｅ、Ｄ１１Ｆをそれぞれ第１又は第２のディジタル／アナログ変換回路５４Ａ、５４Ｂに送出する。
【００３８】
第１〜第４のディジタル／アナログ変換回路５４Ａ〜５４Ｄは、供給される音声データＤ１１Ａ〜Ｄ１１Ｆをディジタル／アナログ変換し、得られたアナログ波形の音声信号Ｓ１１Ａ〜Ｓ１１Ｆを増幅アンプ５５Ａ〜５５Ｄ及びスピーカケーブル４３Ａ〜４３Ｄ、４６Ａ、４６Ｂを順次介して対応するフロントスピーカ４１Ａ〜４１Ｃ、サブウーハ４２又はリアスピーカ４５Ａ、４５Ｂに送信する。これによりこれら音声信号Ｓ１１Ａ〜Ｓ１１Ｆに基づく音声がこれら各フロントスピーカ４１Ａ〜４１Ｃ、サブウーハ４２又はリアスピーカ４５Ａ、４５Ｂから出力される。
【００３９】
このようにしてこのホームシアターシステム４０においても、フロント側及びリア側間をビデオケーブルやスピーカケーブルで接続することなく、ＤＶＤ２４から再生した映像音声データＤ１に基づく映像をスクリーン４上に投影しながら、これと同期して、当該映像音声データＤ１に基づく音声を各フロントスピーカ４１Ａ〜４１Ｃ、サブウーハ４２及び各リアスピーカ４３Ａ、４３Ｂからそれぞれ出力することができるようになされている。
【００４０】
以上の構成において、このホームシアターシステム４０では、ＤＶＤ２４から再生した音声データＤ２Ａを圧縮符号化されたままの状態でＤＶＤ再生装置１５から第１及び第２のアンプ内蔵空間伝送受信ユニット４４Ａ、４４Ｂに空間伝送し、かかる圧縮符号化された音声データＳ２を第１及び第２のアンプ内蔵空間伝送受信ユニット４４Ａ、４４Ｂにおいて伸張処理した後に、得られた各チャンネルの音声信号Ｓ１１Ａ〜Ｓ１１Ｆをそれぞれ対応するフロントスピーカ４１Ａ〜４１Ｃ、サブウーハ４２及びリアスピーカ４３Ａ、４３Ｂに供給する。
【００４１】
従って、このホームシアターシステム４０では、第１の実施の形態によるホームシアターシステム１０（図１）と同様の効果を得ながら、当該ホームシアターシステム１０では６組必要であった空間伝送受信回路５０及び伸張回路５３を２組にまで減らすことができ、その分システム全体としての構成を簡略化させて、安価にシステムを構築することができる。
【００４２】
以上の構成によれば、ＤＶＤ２４から再生した音声データＤ２Ａを圧縮符号化されたままの状態でＤＶＤ再生装置１５から第１及び第２のアンプ内蔵空間伝送受信ユニット４４Ａ、４４Ｂに空間伝送し、かかる圧縮符号化された音声データＤ２Ａを第１及び第２のアンプ内蔵空間伝送受信ユニット４４Ａ、４４Ｂにおいて伸張処理した後に、得られた各チャンネルの音声信号Ｓ１１Ａ〜Ｓ１１Ｆをそれぞれ対応する各フロントスピーカ４１Ａ〜４１Ｃ、サブウーハ４２及び各リアスピーカ４３Ａ、４３Ｂに供給するようにしたことにより、第１の実施の形態によるホームシアターシステム１０により得られる効果に加えて、システム全体としての構成を簡略化させて、安価に構築し得るホームシアターシステムを実現できる。
【００４３】
（３）第３の実施の形態
図４との対応部分に同一符号を付して示す図６は、第３の実施の形態によるホームシアターシステム６０を示し、第２の実施の形態における第１のアンプ内蔵空間伝送受信ユニット４４Ａ（図４）の機能がサブウーハ６１に搭載されている点と、第２のアンプ内蔵空間伝送受信ユニット４４Ｂ（図４）における音声データＤ２Ａの伸張処理機能がＤＶＤ再生装置６２に搭載され、当該ＤＶＤ再生装置６２及び各リアスピーカ４５Ａ、４５Ｂ間がスピーカケーブル６３Ａ、６３Ｂを介して接続されている点とを除いて第２の実施の形態によるホームシアターシステム４０（図４）と同様に構成されている。
【００４４】
実際上、このホームシアターシステム６０の場合、ＤＶＤ再生装置６２は、図２との対応部分に同一符号を付した図７に示すように、第２の実施の形態によるＤＶＤ再生装置１５（図２）に対して、伸張回路７０、２個のディジタル／アナログ変換回路７１Ａ、７１Ｂ及び２個の増幅アンプ７２Ａ、７２Ｂを追加した構成を有している。
【００４５】
そしてＤＶＤ再生装置６２は、ＤＶＤ復調回路２０から出力される復調処理により得られた圧縮符号化されたままの音声データＤ２Ａを伸張回路７０において所定の伸張処理を施し、かくして得られた各チャンネルのベースバンドの音声データのうち、リアスピーカ４５Ａ、４５Ｂ用の各チャンネルの音声データＤ２０Ａ、Ｄ２０Ｂをそれぞれ対応する第１及び第２のディジタル／アナログ変換回路７１Ａ、７１Ｂに送出する。
【００４６】
第１及び第２のディジタル／アナログ変換回路７１Ａ、７１Ｂは、供給される音声データＤ２０Ａ、Ｄ２０Ｂをディジタル／アナログ変換し、得られたアナログ波形の音声信号Ｓ２０Ａ、Ｓ２０Ｂを対応する第１又は第２の増幅アンプ７２Ａ、７２Ｂ及びスピーカケーブル６３Ａ、６３Ｂを順次介して対応するリアスピーカユニット４５Ａ、４５Ｂに送信する。これによりこれら音声信号Ｓ２０Ａ、Ｓ２０Ｂに基づく音声が各リアスピーカユニット４５Ａ、４５Ｂからそれぞれ出力される。
【００４７】
またＤＶＤ再生装置６２においては、ＤＶＤ復調回路２０から出力される音声データＤ２Ａを空間伝送送信回路２３を介して赤外線伝送信号Ｓ２としてサブウーハ６１に空間伝送送信する。
【００４８】
サブウーハ６１は、図５との対応部分に同一符号を付した図８に示すように構成されており、ＤＶＤ再生装置６１から送信される赤外線伝送信号Ｓ２を空間伝送受信回路５０において受信及び復調し、得られた各チャンネルの音声データＤ１０を伸張回路５３において伸張処理した後に、フロントスピーカ４１Ａ〜４１Ｃ用の各チャンネルの音声データＤ１１Ａ〜Ｄ１１Ｃをそれぞれ対応する第１〜第３のディジタル／アナログ変換回路５４Ａ〜５４Ｃに送信する。
【００４９】
かくして第１〜第３のディジタル／アナログ変換回路５４Ａ〜５４Ｃは、それぞれ供給される音声データＤ１１Ａ〜Ｄ１１Ｃをディジタル／アナログ変換し、得られたアナログ波形の音声信号Ｓ１１Ａ〜Ｓ１１Ｃを増幅アンプ５５Ａ〜５５Ｃ及びスピーカケーブル４３Ａ〜４３Ｃを順次介して対応するフロントスピーカ４１Ａ〜４１Ｃにそれぞれ送信する。これによりこれら音声信号Ｓ１１Ａ〜Ｓ１１Ｃに基づく音声が各フロントスピーカ４１Ａ〜４１Ｃからそれぞれ出力される。
【００５０】
またサブウーハ６１においては、伸張回路５３において伸張処理されたサブウーハユニット６１用のチャンネルの音声データＤ１１Ｄを第４のディジタル／アナログ変換回路５４Ｄに与える。そして第４のディジタル／アナログ変換回路５４Ｄは、供給される音声データＤ１１Ｄをディジタル／アナログ変換し、得られたアナログ波形の音声信号Ｓ１１Ｄを増幅アンプ５５Ｄを介して当該サブウーハ６１の筐体内に収納されたサブウーハユニット７３に印加する。これによりこの音声信号Ｓ１１Ｄに基づく音声がサブウーハ７３から出力される。
【００５１】
このようにしてこのホームシアターシステム６０においても、フロント側及びリア側間をビデオケーブルやスピーカケーブルで接続することなく、ＤＶＤ２４から再生した映像音声データＤ１に基づく映像をスクリーン４上に投影しながら、これと同期して、当該映像音声データＤ１に基づく音声を各フロントスピーカ４１Ａ〜４１Ｃ、サブウーハ６１及び各リアスピーカ４５Ａ、４５Ｂからそれぞれ出力することができるようになされている。
【００５２】
以上の構成において、このホームシアターシステム６０では、リア側のプロジェクタ２の近傍に設置されたＤＶＤ再生装置６２においてＤＶＤ２４から再生された音声データＤ２Ａを圧縮符号化されたままの状態でＤＶＤ再生装置６２からサブウーハ６１に空間伝送送信し、かかる圧縮符号化された音声データＤ２Ａをサブウーハ６１において伸張処理及びディジタル／アナログ変換処理した後に、得られた各フロントスピーカ４１Ａ〜４１Ｃ用のチャンネルの音声信号Ｓ１１Ａ〜Ｓ１１Ｃをそれぞれ対応するフロントスピーカ４１Ａ〜４１Ｃに供給する一方、得られたサブウーハ６１用のチャンネルの音声信号Ｓ１１Ｄを当該サブウーハ６１内のサブウーハユニット７３に供給する。またＤＶＤ再生装置６２においてＤＶＤ２４から再生された各リアスピーカ４５Ａ、４５Ｂ用のチャンネルの音声データＤ２０Ａ、Ｄ２０ＢをＤＶＤ再生装置６２内において伸張処理及びアナログ／ディジタル変換処理した後に、これらをスピーカケーブル６３Ａ、６３Ｂを介して対応するリアスピーカ４５Ａ、４５Ｂにそれぞれ送信する。
【００５３】
従って、このホームシアターシステム６０では、第２の実施の形態によるホームシアターシステム４０（図４）と同様にフロント側及びリア側間のビデオケーブルやスピーカケーブルの引き回しを防止しながら、当該第２の実施の形態によるホームシアターシステム４０と比べて第１及び第２のアンプ内蔵空間伝送受信ユニット４４Ａ、４４Ｂを省略した分だけシステム全体としてのユニット数を削減することができ、その分システム構成の簡略化やシステム構築の安価化を図ることができる。
【００５４】
またこのホームシアターシステム６０では、図４及び図６からも明らかなように、第２の実施の形態によるホームシアターシステム４０と比べてスピーカケーブルの配線量も少なく、その分設置する際の配線作業の煩わしさを軽減させることができる。
【００５５】
以上の構成によれば、第２の実施の形態によるホームシアターシステム４０の第１のアンプ内蔵空間伝送送信ユニット４４Ａの機能をサブウーハ６１に搭載すると共に、第２のアンプ内蔵空間伝送送信ユニット４４Ｂの機能をＤＶＤ再生装置６２に搭載するようにしたことにより、第２の実施の形態によるホームシアターシステム４０と同様にフロント側及びリア側間のビデオケーブルやスピーカケーブルの引き回しを防止しながら、システム全体としてのユニット数を削減することができ、かくしてシステム全体としての構成をより一層と簡略化させて、安価に構築し得るホームシアターシステムを実現できる。
【００５６】
（４）第４の実施の形態
図１との対応部分に同一符号を付して示す図９は、第４の実施の形態によるホームシアターシステム８０を示し、ＤＶＤ再生装置８１の構成が異なる点と、リアスピーカ１３Ａ、１３Ｂ（図１）が省略されている点とを除いて第１の実施の形態によるホームシアターシステム１０と同様に構成されている。
【００５７】
実際上、ＤＶＤ再生装置８１は、図２との対応部分に同一符号を付した図１０に示すように、第１の実施の形態によるＤＶＤ再生装置１５（図２）に対して、ＤＶＤ復調回路２０及び空間伝送送信回路２３間に伸張回路８２、バーチャルサラウンド処理回路８３及び圧縮回路８４を付加した構成を有している。
【００５８】
そしてこのＤＶＤ再生装置８１においては、ＤＶＤ復調回路２０から出力される復調処理された音声データＤ２Ａを伸張回路８２において伸張処理し、得られたベースバンドの音声データＤ３０をバーチャルサラウンド処理回路８３に送出する。
【００５９】
バーチャルサラウンド処理回路８３は、供給される各チャンネルの音声データのうち、各リアスピーカ１３Ａ、１３Ｂ（図１）用のチャンネルの音声データＤ３０を除く他の音声データＤ３０に対して、これらバーチャルサラウンドの音響効果を生じさせるための所定のバーチャルサラウンド処理を施し、得られたこれらチャンネルのバーチャルサラウンド処理音声データＤ３１を圧縮回路８４に送出する。
【００６０】
圧縮回路８４は、供給される各バーチャルサラウンド処理音声データＤ３１を、伸張回路８２において伸張処理される前の音声データＤ２Ａと同じ圧縮符号化方式で圧縮符号化処理し、得られた圧縮符号化した音声データＤ３２を空間伝送送信回路２３に送出する。
【００６１】
この結果この音声データＤ３２が空間伝送送信回路２３を介して赤外線伝送信号Ｓ３０として各フロントスピーカ１１Ａ〜１１Ｃ及びサブウーハ１２にそれぞれ空間伝送送信され、これら各フロントスピーカ１１Ａ〜１１Ｃ及びサブウーハ１２において伸張処理されて、得られた音声データに基づく音声がこれら各フロントスピーカ１１Ａ〜１１Ｃ及びサブウーハ１２からそれぞれ出力される。
【００６２】
このようにしてこのホームシアターシステム８０では、ＤＶＤ２４から再生した映像音声データＤ１に基づく映像をスクリーン４上に投影する一方、これと同期して、バーチャルサラウンド処理された音声を各フロントスピーカ１１Ａ〜１１Ｃ及びサブウーハ１２からそれぞれ出力することができるようになされている。
【００６３】
以上の構成において、このホームシアターシステム８０では、ＤＶＤ２４から再生された音声データＤ２Ａに対して伸張処理、バーチャルサラウンド処理及び圧縮符号化処理を順次施し、得られた圧縮符号化された音声データＤ３２をＤＶＤ再生装置８１から各フロントスピーカ１１Ａ〜１１Ｃ及びサブウーハ１２に空間伝送送信する一方、各フロントスピーカ１１Ａ〜１１Ｃ及びサブウーハ１２において、この音声データＤ３２に対して伸張処理し、得られた音声データに基づく音声をそのフロントスピーカ１１Ａ〜１１Ｃ及びサブウーハ１２からそれぞれ出力する。
【００６４】
従って、このホームシアターシステム８０では、第１の実施の形態により得られる効果に加えて、リアスピーカ１３Ａ、１３Ｂを省略した構成とすることができ、その分より一層とシステム全体としての構成を簡略化させて、システムを安価に構築することができる。
【００６５】
以上の構成によれば、ＤＶＤ２４から再生された音声データＤ２Ａに対して伸張処理、バーチャルサラウンド処理及び圧縮符号化処理を順次施し、得られた圧縮符号化された音声データＤ３２をＤＶＤ再生装置８１から各フロントスピーカ１１Ａ〜１１Ｃ及びサブウーハ１２に空間伝送送信する一方、各フロントスピーカ１１Ａ〜１１Ｃ及びサブウーハ１２において、この音声データＤ３２に対して伸張処理し、得られた音声データに基づく音声をそのフロントスピーカ１１Ａ〜１１Ｃ又はサブウーハ１２からそれぞれ出力するようにしたことにより、より一層とシステム全体としての構成を簡略化させて、システムを安価に構築し得るホームシアターシステムを実現できる。
【００６６】
（５）他の実施の形態
なお上述の第１〜第４の実施の形態においては、本発明をホームシアターシステム１０、４０、６０、８０に適用するようにした場合について述べたが、本発明はこれに限らず、この他種々の音声出力システムに広く適用することができる。
【００６７】
また上述の第１〜第４の実施の形態においては、映像表示面と対向する側に配置され、当該映像表示面に表示される映像に付随する圧縮符号化された音声データを取得し、当該音声データを空間伝送送信する送信手段としてＤＶＤ再生装置１５、６２、８１を適用し、かかる圧縮符号化された音声データをＤＶＤ２４から再生するようにして取得するようにした場合について述べたが、本発明はこれに限らず、例えば送信手段としてテレビジョン放送を受信するチューナを適用し、テレビジョン放送を受信することによりかかる圧縮符号化された音声データを取得するようにしても良く、またベースバンドの音声データを圧縮符号化することにより圧縮符号化された音声データを取得するようにしても良い。
【００６８】
さらに上述の第１〜第４の実施の形態においては、圧縮符号化された音声データを赤外線を用いて空間伝送するようにした場合について述べたが、本発明はこれに限らず、赤外線以外の電波等を用いて空間伝送するようにしても良い。
【００６９】
さらに上述の第３の実施の形態においては、第２の実施の形態における第１のアンプ内蔵空間伝送受信ユニット４４Ａ（図４）の機能をサブウーハ６１に搭載すると共に、第２のアンプ内蔵空間伝送受信ユニット４４Ｂ（図４）における音声データＤ２Ａの伸張処理機能をＤＶＤ再生装置６２に搭載するようにした場合について述べたが、本発明はこれに限らず、これらの機能をフロントスピーカ４１Ａ〜４１Ｃ及び又はリアスピーカ４５Ａ、４５Ｂのいずれかに搭載するようにしても良い。
【産業上の利用可能性】
【００７０】
本発明は、ホームシアターシステムのほか、種々の音声出力システムに広く適用することができる。
【図面の簡単な説明】
【００７１】
【図１】第１の実施の形態によるホームシアターシステムの構成を示す概略図である。
【図２】第１の実施の形態によるホームシアターシステムにおけるＤＶＤ再生装置の簡略構成を示すブロック図である。
【図３】第１の実施の形態によるホームシアターシステムにおける各フロントスピーカ、サブウーハ及び各リアスピーカの簡略構成を示すブロック図である。
【図４】第２の実施の形態によるホームシアターシステムの構成を示す概略図である。
【図５】第１及び第２のアンプ内蔵空間伝送受信ユニットの構成を示すブロック図である。
【図６】第３の実施の形態によるホームシアターシステムの構成を示す概略図である。
【図７】第３の実施の形態によるホームシアターシステムにおけるＤＶＤ再生装置の簡略構成を示すブロック図である。
【図８】第３の実施の形態によるホームシアターシステムにおけるサブウーハの構成を示すブロック図である。
【図９】第４の実施の形態によるホームシアターシステムの構成を示す概略図である。
【図１０】第４の実施の形態によるホームシアターシステムにおけるＤＶＤ再生装置の簡略構成を示すブロック図である。
【図１１】従来のホームシアターシステムの構成例を示す概念図である。
【符号の説明】
【００７２】
１０、４０、６０、８０……ホームシアターシステム、２……プロジェクタ、４……スクリーン、１１Ａ〜１１Ｃ、４１Ａ〜４１Ｃ……フロントスピーカ、１２、４２、６１……サブウーハ、１３Ａ、１３Ｂ、４５Ａ、４５Ｂ……リアスピーカ、１５、６２、８１……ＤＶＤ再生装置、２３……空間伝送送信回路、２４……ＤＶＤ、４３Ａ〜４３Ｄ、４６Ａ、４６Ｂ、６３Ａ、６３Ｂ……スピーカケーブル。
【図１】
2006126465.tif 000003
【図２】
2006126465.tif 000004
【図３】
2006126465.tif 000005
【図４】
2006126465.tif 000006
【図５】
2006126465.tif 000007
【図６】
2006126465.tif 000008
【図７】
2006126465.tif 000009
【図８】
2006126465.tif 000010
【図９】
2006126465.tif 000011
【図１０】
2006126465.tif 000012
【図１１】
2006126465.tif 000013